(57)【特許請求の範囲】
【請求項１】
原稿の画像データを記憶する記憶手段と、
主走査方向における画像の濃度を検出する画像濃度検出手段と、
前記画像濃度検出手段より検出された画像の濃度データを用い、画像における原稿領域と非原稿領域の主走査方向の境界を検出する境界検出手段と、
前記境界検出手段を利用して原稿幅を検出する原稿幅検出手段と、
前記原稿幅検出手段で検出した原稿幅より原稿幅の最小値を求めることにより、左右見開きブック原稿の綴じ合わせ部分の位置を検出する位置検出手段と、
前記原稿幅検出手段より得られた画像における原稿幅のデータを用い、原稿幅の最頻値を決定する最頻値決定手段と、
前記最頻値決定手段より得られた原稿幅の最頻値を用いて、前記綴じ合わせ部分付近における画像の歪みを補正する歪み補正手段と、
前記位置検出手段によって検出された綴じ合わせ部分の位置に基づいて、左右見開きブック原稿の綴じ合わせ部分を境界に画像データを分割し、境界より左側の画像データを転写紙の表に、境界より右側の画像データを同じ転写紙の裏にそれぞれ印刷する印刷手段とを備えたことを特徴とする画像形成装置。
【発明の詳細な説明】
【０００１】
【発明の属する技術分野】
本発明は画像形成装置に関し、特に左右見開きブック原稿の複写における綴じ合わせ部分付近における画像の補正技術に関する。
【０００２】
【従来の技術】
左右見開きブック原稿を複写する場合、綴じ合わせ部分が浮き上がることになる。この浮き上がり度合いは、ブック原稿が厚ければ厚い程大きなものとなる。
【０００３】
【発明が解決しようとする課題】
上述したように、左右見開きブック原稿の場合、中央の綴じ合わせ部分が浮き上がるため、綴じ合わせ部分付近に原稿の文字、図が存在した場合、これらの綴じ合わせ部分付近の原稿の文字、図の複写画像が歪んで見にくくなる問題がある。
【０００４】
また、中央の綴じ合わせ部分が黒くなって複写されてしまうため、いわゆるセンター消去〔黒（地肌）を消去する〕を行うが、これにより綴じ合わせ部分付近の原稿の文字、図が損失するおそれがあった。なお、左右見開きブック原稿複写に関連する技術としては、特開平９−２４７４２２号公報、他が挙げられる。
【０００５】
本発明は、左右見開きブック原稿の綴じ合わせ部分付近における文字、図などの画像データの損失を防止することと、綴じ合わせ部分付近における文字、図などの画像データの歪みを抑制させることができる画像形成装置を提供することを目的とする。
【０００６】
【課題を解決するための手段】
上記目的を達成するために、本発明の画像形成装置は、原稿の画像データを記憶する記憶手段と、主走査方向における画像の濃度を検出する画像濃度検出手段と、画像濃度検出手段より検出された画像の濃度データを用い、画像における原稿領域と非原稿領域の主走査方向の境界を検出する境界検出手段と、境界検出手段を利用して原稿幅を検出する原稿幅検出手段と、原稿幅検出手段で検出した原稿幅より原稿幅の最小値を求めることにより、左右見開きブック原稿の綴じ合わせ部分の位置を検出する位置検出手段と、原稿幅検出手段より得られた画像における原稿幅のデータを用い、原稿幅の最頻値を決定する最頻値決定手段と、最頻値決定手段より得られた原稿幅の最頻値を用い、綴じ合わせ部分付近における画像の歪みを補正する歪み補正手段とを備えているものとする。
【０００７】
また、第一の応用として、前記位置検出手段により検出した左右見開きブック原稿綴じ合わせ部分の位置と、転写紙の中央位置との差を求め、画像データを転写紙の中央と左右見開きブック原稿の綴じ合わせ部分の位置との差だけ副走査方向に平行移動させることにより、綴じ合わせ部分と転写紙の中央を一致させる一致手段を備えたものとしてもよい。
【０００８】
また、第二の応用として、左右見開きブック原稿綴じ合わせ部分を境界に画像データを分割し、境界より左側の画像データを１枚目の転写紙の片面に、境界より右側の画像データを２枚目の転写紙の片面にそれぞれ印刷する印刷手段を備えたものとしてもよい。
【０００９】
特に、本発明においては、位置検出手段によって検出された綴じ合わせ部分の位置に基づいて左右見開きブック原稿の綴じ合わせ部分を境界に画像データを分割し、境界より左側の画像データを転写紙の表に、境界より右側の画像データを同じ転写紙の裏にそれぞれ印刷する印刷手段を備えたことを特徴とするものである。
【００１０】
本発明では、左右見開きブック原稿の綴じ合わせ部分付近における文字、図などの画像データの損失を防止し、かつ、綴じ合わせ部分付近における文字、図などの画像データの歪みを抑制させる。
【００１１】
また、上記第一の応用によれば、上記に加え、検出された綴じ合わせ部分の位置と転写紙の副走査方向における中央との差を求め、この差分だけ副走査方向に対して画像データを移動させるため、綴じ合わせ部分の位置と転写紙の副走査方向における中央を一致させる作業の自動化が可能になり、この位置を一致させる作業が省略される。
【００１２】
また、上記第二の応用によれば、左右見開きブック原稿を２枚の転写紙片面に印刷する場合、本発明の作用に加え、各ページの画像データの中央と転写紙の副走査方向における中央との差を求め、この差分だけ副走査方向に対して画像データを移動させるため、各ページの画像データ中央の位置と転写紙の副走査方向における中央を一致させる作業の自動化が可能になり、この位置を一致させる作業が省略される。
【００１３】
特に、本発明では、左右見開きブック原稿を１枚の転写紙の両面に印刷する場合、上記の作用が得られる。
【００１４】
【発明の実施の形態】
以下、本発明の実施の形態を添付図面に従って説明する。
図１は本発明における画像形成装置の制御ブロック図を示している。
制御ブロックの中央にＣＰＵ１０３があり、各デバイスに対して命令を行っている。ＲＯＭ１０１はＣＰＵ１０３が行う制御プログラムが格納されている。また、ＲＡＭ１０２は各種のパラメータや画像データが一時的に格納されている。ＣＰＵ１０３は請求項１ないし請求項４記載の各機能手段を構成する。画像読取部１０５、操作部１０６、画像形成部１０７、画像処理部１０８は、各々のドライバ１０４を介してＣＰＵ１０３と接続されている。
【００１５】
次に複写工程の一連の動きを順に説明すると、まず、操作部１０６において、複写部数、ブック原稿複写などの複写方法、各種モード等がキーを利用して入力される。
【００１６】
次に画像読取部１０５において、操作部１０６で入力された情報に基づき、原稿台上の原稿を読み取る。読み取られた原稿の画像データは、ＲＡＭ１０２に一時的に格納される。ＲＡＭ１０２に格納されている画像データは、画像処理部１０８で操作部１０６により入力された情報に基づいた変換が行われる。その後、ＲＡＭ１０２に格納されている画像データは画像形成部１０７において出力される。
【００１７】
図２はブック原稿の複写状態を示している。
ブック原稿を原稿台上に置き圧板で押さえると、側面から光が入るため、非原稿領域２０１では画像濃度が原稿領域２０２より濃く出力される。また、ブック原稿を複写する際、ブック原稿の左ページと右ページのつなぎ目である綴じ合わせ部分２０３において、原稿幅２０４が最も小さくなる特徴がある。
【００１８】
図３は図２における線分ＡＢ上の画像濃度の特性を示している。
図３の３０１がその画像濃度の特性に関する曲線である。図３によれば、非画像領域と画像領域との境界である点３０２Ａ，３０２Ｂ付近において曲線が著しく変化し、さらに非画像領域において画像濃度の特性に関する曲線は、ある設定しきい値を超えている。
【００１９】
図４はブック原稿の綴じ合わせ部分位置の検出処理に関する流れ図を示している。
符号４０１〜４０５は処理ステップを示す（以下の流れ図においても同様）。
４０１において図４の処理を開始する。４０２において画像領域と非画像領域の境界の検出を行っている。
【００２０】
検出の方法は、図３の画像濃度の特性における特徴を利用している。副走査方向における任意の地点で、主走査方向に進行しながら、画像濃度の特性が予め設定されたしきい値の上から下に減少する地点を境界Ａとし、また、画像濃度の特性がしきい値の下から上に増加する地点を境界Ｂとして検出する。
【００２１】
画像領域と非画像領域の境界の検出を行った後、４０３において原稿幅の検出を行っている。先述の４０２において検出された境界Ａと境界Ｂの差を原稿幅としている。そして、４０３で各副走査方向の位置における原稿幅のデータを格納している。
【００２２】
原稿幅の検出を行った後、４０４において、綴じ合わせ部分の位置の検出を行っている。図２によれば、ブック原稿を複写するとき、綴じ合わせ部分の位置で原稿幅が最小になることから、原稿幅が最小になる副走査方向の位置を特定している。その後、４０５において後述する図１４のメインプログラムに戻る。
【００２３】
図５は綴じ合わせ部分付近の歪みの補正処理に関する概念図を示している。
符号５０１は非原稿領域、５０２は原稿領域、５０３は綴じ合わせ部分を示している。綴じ合わせ部分５０３による原稿幅の縮む部分は、全体の副走査方向の座標に対して僅かであるため、左右見開きブック原稿における実際の原稿幅は、図４の４０３で得られた原稿幅の中での最頻値（以下、原稿幅の最頻値）５０４になる。
【００２４】
綴じ合わせ部分５０３付近において、原稿幅が原稿幅の最頻値５０４より短くなる。原稿幅が原稿幅の最頻値５０４より短くなる部分を画像を補正する領域５０５として扱う。
【００２５】
図６は綴じ合わせ部分付近の歪みの補正処理に関する流れ図を示している。
６０１において、図６の処理を開始する。６０２において、図４の４０３で得られた原稿幅より原稿幅の最頻値５０４を決定する。６０３において、副走査方向の任意の地点ｘを画像データの左端に設定する。
【００２６】
６０４において、地点ｘにおける原稿幅の値が原稿幅の最頻値５０４より小さければ６０５へ移動し、そうでなければ６０７へ移動する。６０５において、地点ｘにおける画像データを読み込む。６０６において、地点ｘにおける原稿幅が原稿幅の最頻値５０４になるように、地点ｘにおける画像データを補正する。画像データの詳しい補正方法については後ほど図７で説明する。
【００２７】
６０７において、副走査方向における変数ｘが画像の右端に達したならば、６０９へ移動し、そうでなければ６０８へ移動する。６０８において、変数ｘを１増加させることにより、１つ隣の画像データに処理を移行させる。６０９において、図６の処理が終了し、図６の処理が呼ばれる前のプログラム地点に処理が戻る。
【００２８】
図７は綴じ合わせ部分付近における画像データの補正方法の概念図を示している。
図７において、７０２ｙは補正前の画像データにおける主走査方向の座標を表し、７０５Ｙは補正後の画像データにおける主走査方向の座標を表している。画像領域と非画像領域の上の境界７０１Ａの画像データは、補正によって原稿幅の最頻値における画像領域と非画像領域の上の境界７０４Ａｍｅｄへ移動し、画像領域と非画像領域の下の境界７０３Ｂの画像データは、補正よって原稿幅の最頻値における画像領域と非画像領域の下の境界７０６Ｂｍｅｄへ移動し、境界７０１Ａと７０３Ｂの画像データは、上の境界と下の境界が上記の通りに移動するように画像を拡大させるため、補正前の座標ｙから補正後の座標Ｙへの変換は線形になる。
【００２９】
補正前の座標ｙから補正後の座標Ｙへの変換を式で表すと、次のようになる。
Ｙ＝（Ａｍｅｄ−Ｂｍｅｄ）・ｙ／（Ａ−Ｂ）＋（Ｂｍｅｄ・Ａ−Ａｍｅｄ・Ｂ）／（Ａ−Ｂ）
この式に基づいて、画像データの上の方から下の方へ向かって主走査方向のある地点ｙの画像データを地点Ｙへ移動させる。
【００３０】
この画像データの補正は拡大であるため、補正前の隣合うｙｉとｙ（ｉ＋１）の座標が、補正後の座標ＹｉとＹ（ｉ＋１）の座標が隣同士にならないことが多い。つまり、ＹｉとＹ（ｉ＋１）の間の画像データが抜けることになる。画像データの座標が抜ける場合、ＹｉとＹ（ｉ＋１）の間をＹｉの画像データを埋めることにより、画像データを補間する。このように、綴じ合わせ部分付近における画像データの補正を行っている。
【００３１】
図８は綴じ合わせ部分と転写紙中央を一致させる処理に関する概念図を示している。
図８において、符号８０１はブック原稿の画像、８０２は転写紙、８０３は綴じ合わせ部分、８０４は１ページ目のブック原稿の画像、８０５は２ページ目のブック原稿の画像、８０６は転写紙８０２の中央を示す。複写を見やすくするためには、綴じ合わせ部分８０３の位置と転写紙８０２の中央８０６を一致させる必要がある。
【００３２】
図９は綴じ合わせ部分と転写紙の中央を一致させる処理に関する流れ図を示している。
９０１において、図９の処理を開始する。９０２において、図４で求めた綴じ合わせ部分の位置と転写紙の副走査方向の中央との差を求めている。９０３において、図１の画像処理部１０８において、９０２で求めた綴じ合わせ部分の位置と転写紙の副走査方向の中央との差の分だけ、図１のＲＡＭ１０２にある画像データを副走査方向に移動させる。その後、９０４においてメインプログラムに戻る。
【００３３】
図１０は左右見開きブック原稿の画像を転写紙片面２枚の適切な位置に移動させる処理の概念図を示している。
符号１００１，１００２は１ページ目、２ページ目のブック原稿の画像、１００３，１００４は各画像が転写される転写紙、１００５，１００６は綴じ合わせ部分、１００７，１００８は転写紙１００３，１００４の中央、１００９は左端、１０１０は右端を示す。
【００３４】
複写を見やすくするためには、綴じ合わせ部分１００５，１００６を境として、左右見開きブック原稿の画像を２つのページに分割し、さらに各ページの中央がそれぞれの転写紙１００３，１００４の中央１００７，１００８と一致させる必要がある。
【００３５】
図１１は左右見開きブック原稿の画像を転写紙片面２枚の適切な位置に移動させる処理の流れ図を示している。
まず、１１０１において図１１の処理を開始する。次に１１０２において、左右見開きブック原稿の画像データを図４で検出された綴じ合わせ部分の位置を境界として、境界から左を第１ページ、境界から右を第２ページとした上で分割する。
【００３６】
そして、第１ページの画像データと転写紙の中央を一致させるために、１１０３において、画像データの左端と綴じ合わせ部分の位置の中間と第１ページの転写紙中央の差を求め、１１０４において、第１ページの画像データを、副走査方向に画像データの左端と綴じ合わせ部分の位置の中間と第１ページの転写紙中央との差の分だけ移動させる。
【００３７】
同様に、第２ページの画像データと転写紙の中央を一致させるために、１１０５において、画像データの右端と綴じ合わせ部分の位置の中間と第２ページの転写紙中央の差を求め、１１０６において、第２ページの画像データを、副走査方向に画像データの右端と綴じ合わせ部分の位置の中間と第２ページの転写紙中央との差の分だけ移動させる。その後、１１０７において、メインプログラムに戻る。
【００３８】
図１２は左右見開きブック原稿の画像を転写紙両面１枚の適切な位置に移動させる処理の概念図を示している。
符号１２０１，１２０２は１ページ目、２ページ目のブック原稿の画像、１２０３は各画像がその表裏に転写される転写紙、１２０４，１２０５は綴じ合わせ部分、１２０６は転写紙１２０３の中央、１２０７は左端、１２０８は右端を示す。
【００３９】
複写を見やすくするためには、まず綴じ合わせ部分１２０４，１２０５を境として、左右見開きブック原稿の画像を２つのページに分割し、さらに各ページの中央が転写紙１２０３の中央１２０６と一致させる必要がある。
【００４０】
図１３は左右見開きブック原稿の画像を転写紙両面１枚の適切な位置に移動させる処理の流れ図を示している。
まず、１３０１において図１３の処理を開始する。次に１３０２において、左右見開きブック原稿の画像データを図４で検出された綴じ合わせ部分の位置を境界として、境界から左を第１ページ、境界から右を第２ページとした上で分割する。
【００４１】
そして、第１ページの画像データと転写紙の中央を一致させるために、１３０３において、画像データの左端と綴じ合わせ部分の位置の中間と第１ページ、すなわち、表側の転写紙中央との差を求め、１３０４において、第１ページの画像データを副走査方向に画像データの左端と綴じ合わせ部分の位置の中間と第１ページの転写紙中央との差の分だけ平行移動させる。
【００４２】
同様に、第２ページの画像データと転写紙の中央を一致させるために、１３０５において、画像データの右端と綴じ合わせ部分の位置の中間と第２ページ、すなわち、裏側の転写紙中央の差を求め、１３０６において、第２ページの画像データを副走査方向に画像データの左端と綴じ合わせ部分の位置の中間と第２ページの転写紙中央との差の分だけ平行移動させる。その後、１３０７において、メインプログラムに戻る。
【００４３】
図１４はメインプログラムの流れ図を示している。
１４０１において、メインプログラムの処理を開始する。１４０２において、印刷枚数、ステープルなどの仕上げ方法などの操作部１０６から入力される情報を読み込む。１４０３において、原稿台にある原稿の画像を読み込み、画像の情報をＲＡＭ１０２へ一時的に格納する。
【００４４】
１４０４において、操作部１０６からの入力情報よりブック原稿か否かを判断し、ブック原稿であれば１４０７へ、そうでなければ１４０５へ飛ぶ。１４０５において、ＲＡＭ１０２内の原稿の画像に対し、操作部１０６の入力に従った画像処理を施す。１４０７において、図４の綴じ合わせ部分位置検出処理へ飛び、綴じ合わせ部分の主走査方向における位置を検出する。
【００４５】
１４０９において、図９の綴じ合わせ部分と転写紙の中央を一致させる処理へ飛び、ブック原稿の綴じ合わせの位置と転写紙の中央を一致させる処理を行う。そして、１４０９の中において、綴じ合わせ部分付近の歪みを補正する処理へ飛び、補正処理を行うのである。
【００４６】
１４０８において、操作部１０６の入力情報より得られる印刷方法により、処理の移動先を変える。左右見開きブック原稿を片面１枚に印刷する場合１４０６へ、片面２枚に印刷する場合１４１０へ、両面１枚に印刷する場合１４１１へ飛ぶ。
【００４７】
そして１４１０において、図１１の左右見開きブック原稿の画像転写紙片面２枚の適切な位置に移動させる処理へ飛び、ブック原稿の各ページの画像と２枚の転写紙片面の中央を一致させる処理を行った後、１４０６へ移る。
【００４８】
また、１４１１において、図１０の左右見開きブック原稿を１枚の転写紙両面の適切な位置に移動させる処理へ飛び、ブック原稿の各ページの画像と１枚の転写紙両面の中央を一致させる処理を行った後、１４０６へ移る。１４０６において、画像形成部で感光体上にＲＡＭ１０２内にある原稿の画像を形成し、その画像を転写紙に転写する。最後に、１４１２において、メインプログラムを終了する。
【００４９】
【発明の効果】
本発明によれば、左右見開きブック原稿の綴じ合わせ部分付近における文字、図などの画像データの損失を防止し、かつ、綴じ合わせ部分付近における文字、図などの画像データの歪みを抑制することができる。
【００５０】
第一の応用によれば、上記に加え、検出された綴じ合わせ部分の位置と転写紙の副走査方向における中央との差を求め、この差分だけ副走査方向に対して画像データを移動させるため、綴じ合わせ部分の位置と転写紙の副走査方向における中央を一致させる作業の自動化が可能になり、この位置を一致させる作業を省略することができる。
【００５１】
第二の応用によれば、左右見開きブック原稿を２枚の転写紙片面に印刷する場合、上記本発明の作用に加え、各ページの画像データの中央と転写紙の副走査方向における中央との差を求め、この差分だけ副走査方向に対して画像データを移動させるため、各ページの画像データ中央の位置と転写紙の副走査方向における中央を一致させる作業の自動化が可能になり、この位置を一致させる作業を省略することができる。
【００５２】
特に、本発明によれば、左右見開きブック原稿を１枚の転写紙の両面に印刷する場合、上記の効果が得られる。
【図面の簡単な説明】
【図１】本発明における画像形成装置の制御ブロック図である。
【図２】ブック原稿の複写状態を示す図である。
【図３】図２における線分ＡＢ上の画像濃度の特性を示す図である。
【図４】ブック原稿の綴じ合わせ部分位置の検出処理に関する流れ図である。
【図５】綴じ合わせ部分付近の歪みの補正処理に関する概念図である。
【図６】綴じ合わせ部分付近の歪みの補正処理に関する流れ図である。
【図７】綴じ合わせ部分付近における画像データの補正方法の概念図である。
【図８】綴じ合わせ部分と転写紙中央を一致させる処理に関する概念図である。
【図９】綴じ合わせ部分と転写紙中央を一致させる処理に関する流れ図である。
【図１０】左右見開きブック原稿の画像を転写紙片面２枚の適切な位置に移動させる処理の概念図である。
【図１１】左右見開きブック原稿の画像を転写紙片面２枚の適切な位置に移動させる処理の流れ図である。
【図１２】左右見開きブック原稿の画像を転写紙両面１枚の適切な位置に移動させる処理の概念図である。
【図１３】左右見開きブック原稿の画像を転写紙両面１枚の適切な位置に移動させる処理の流れ図である。
【図１４】メインプログラムの流れ図である。
【符号の説明】
１０１  ＲＯＭ
１０２  ＲＡＭ
１０３  ＣＰＵ
１０４  ドライバ
１０５  画像読取部
１０６  操作部
１０７  画像形成部
１０８  画像処理部
【図１】
0003902364.tif 000002
【図２】
0003902364.tif 000003
【図３】
0003902364.tif 000004
【図４】
0003902364.tif 000005
【図５】
0003902364.tif 000006
【図６】
0003902364.tif 000007
【図７】
0003902364.tif 000008
【図８】
0003902364.tif 000009
【図９】
0003902364.tif 000010
【図１０】
0003902364.tif 000011
【図１１】
0003902364.tif 000012
【図１２】
0003902364.tif 000013
【図１３】
0003902364.tif 000014
【図１４】
0003902364.tif 000015